(57)【要約】      （修正有）【課題】簡便に組み立てができると共に、搬送時には嵩張らない構造のバリケードを提供する。【解決手段】下部に補助体３を備えた一対の支持体２の頂部と頂部に上単管５を横設し、一対の支持体２に備えてある補助体３と補助体３を連結する下単管１５を備え、前記一対の支持体２を上単管５に対してそれぞれ回動可能に形成してある。さらに、下単管１５は、補助体３から取り外すことが出来、また支持体２は上単管５に付設の基台１０で回転可能であり、一対の支持体２を互いに向き合う方向に折り畳むことができ搬送が容易になる。【選択図】図１
0003177776.tif 000002
【実用新案登録請求の範囲】
【請求項１】
下部に補助体を備えた一対の支持体の頂部と頂部に上単管を横設のバリケードであって、
前記一対の支持体に備えてある補助体と補助体を連結する下単管を備え、
前記一対の支持体を上単管に対してそれぞれ回動可能に形成してあることを特徴とするバリケード。
【請求項２】
請求項１のバリケードであって、
下単管の端部に補助体に装脱可能な係止体を取り付けてなることを特徴とするバリケード。
【請求項３】
請求項２のバリケードであって、
補助体に係止孔を形成し、この係止孔に挿入可能な凸体を係止体に形成することを特徴とするバリケード。
【請求項４】
下部に補助体を備えた一対の支持体の頂部と頂部に上単管を横設のバリケードであって、
前記一対の支持体を上単管に対してそれぞれ回動可能に形成し、
上単管の正面に係止孔を形成すると共に、補助体の表面に係止孔を形成し、
筋交い棒の端部を前記上単管の表面側に形成の係止孔に、他端部は前記補助体の表面に形成の係止孔にそれぞれ挿入可能な形状であることを特徴とするバリケード。
【考案の詳細な説明】
【技術分野】
【０００１】
本願考案は、例えば、道路工事現場などに車両等を誘導するための標識体を取り付けの折り畳み式のバリケードに関する。
【背景技術】
【０００２】
特許文献1には、例えば、１対の単管支持部を備え、その頂部には上単管を挟着するクランプを備えている。また、前記単管支持部の下部にも、下単管を挟着するクランプを備えている。そして、前記各クランプに上単管と、下単管を装着して、バリケードを組み立て、前記上単管に標識体を取り付けて、道路工事現場の標識として用いている。
【先行技術文献】
【特許文献】
【０００３】
【特許文献１】特開２００９−２９９３３１
【考案の概要】
【考案が解決しようとする課題】
【０００４】
前記開示のバリケードは、上単管と、下単管をクランプで挟着して組み立てるという手数がかかる。
そこで、本願の考案は、簡便に組み立てができると共に、搬送時には嵩張らない構造のバリケードを提供する。
【課題を解決するための手段】
【０００５】
請求項１のバリケードは、下部に補助体を備えた一対の支持体の頂部と頂部に上単管が横設してあり、前記一対の支持体に備えてある補助体と補助体を連結する下単管を備え、前記一対の支持体を上単管に対してそれぞれ回動可能に形成してある。
また、請求項２のバリケードは、請求項１のバリケードであって、下単管の端部に補助体に装脱可能な係止体が取り付けてある。
また、請求項３のバリケードは、請求項２のバリケードであって、補助体に係止孔を形成し、この係止孔に挿入可能な凸体を係止体に形成してある。
また、請求項４のバリケードは、下部に補助体を備えた一対の支持体の頂部と頂部に上単管が横設してあり、前記一対の支持体を上単管に対してそれぞれ回動可能に形成し、上単管の正面に係止孔を形成すると共に、補助体の表面に係止孔を形成し、筋交い棒の端部を上単管の表面側に形成の係止孔に、他端部は補助体の表面に形成の係止孔にそれぞれ挿入可能な形状である。
【考案の効果】
【０００６】
本考案のバリケードは、組み立てが簡便であると共に、搬送時には嵩張らない。
【図面の簡単な説明】
【０００７】
【図１】（Ａ）は使用時のバリケードの斜視図、（Ｂ）は上単管を組み立てたときの斜視図、（Ｃ）は搬送時のバリケードの図である。
【図２】他の構成のバリケードであり、（Ａ）は使用時のバリケードの斜視図、（Ｂ）は上単管を組み立てたときの斜視図、（Ｃ）は搬送時のバリケードの図である。
【考案を実施するための形態】
【０００８】
本願考案の実施の形態を図を参照して説明する。図１（Ａ）は使用時のバリケードの斜視図、（Ｂ）は上単管を組み立てたときの斜視図、（Ｃ）は搬送時のバリケードの図である。
【０００９】
バリケードは、両端に鉄パイプ等をＵ字状に折り曲げの支持体２を備えている。また、この支持体２の下部には、前記Ｕ字状の支持体２が拡開しないように四角状の補助体３が横架してある。また、この補助体３の中央部の表面には、係止孔４が形成してある。
【００１０】
前記支持体２の頂部には、互いに向き合う状態で、上単管５の端部を挿入可能な筒状孔（図示略）が形成してある基台１０が取り付けてあると共に、その基台１０の両側部には挿入孔（図示略）が形成してある。一方、上単管５には、前記筒状孔に挿入したとき、前記挿入孔に対応する位置に回動孔（図示略）が穿設してある。そして、上単管５は、前記筒状孔に挿入後、ボルト１１を前記挿入孔と回動孔に相通して、ボルト１１が抜けないようにナット（図示略）で固定してある。そのため、前記支持体２は、基台１０を相通するボルト１１が回動軸となり、上単管５に対して回動可能に取り付けてある。
【００１１】
また、下単管１５は、支持体２に備えてある補助体３に対して装脱可能に連結して、支持体２の回動を防止して、支持体２の立設維持を図っている。そして、下単管１５の両端には、前記補助体３に上から下に装着可能な断面コ字状の係止体１７が取り付けてあると共に、その係止体１７の中央には前記係止孔４に挿入可能な凸体１８が形成してある。
【００１２】
なお、この下単管１５は補助体３に対して針金等で縛る構成であってもよいが、簡便に装脱可能に、補助体３の形状に合わせて係止体１７が形成してある。
また、前記凸体１８及び係止孔４は必ずしも必要ではないが、下単管１５の移動によって、下単管１５が外れて、一対の支持体２の立設が不可能になるのを防止する。
【００１３】
図１（Ｃ）は、バリケードの収納状態であり、下単管１５は、図１（Ａ）の装着状態における補助体３から取り外す。そして、支持体２は上単管５に付設の基台１０で回動可能であるので、一対の支持体２を互いに向き合う方向に、上単管５の下側又は上側に折り畳む。
このように、本願のバリケードは、独立した下単管１５と、上単管５の下側又は上側に折り畳まれた支持体２が平坦状の姿態となり、この、平坦状の姿態で搬送できるので嵩張らずに搬送できる。
【００１４】
尚、この平坦状のバリケードを組み立てるには、先ず、上単管５の両端で、支持体２を回動して立設する（図１（Ｂ））。次に、下単管１５の両端に付設の係止体１７に形成の凸体１８が前記係止孔４に挿入するように装着することによって組み立てが完了し、使用状態になる（図１（Ａ））。なお、この下単管１５によって、支持体２が基台１０での回動を防止して、支持体２が立設維持可能にして、バリケードとしての機能を果たす。
【００１５】
次に、図２に示すバリケードについて説明する。このバリケードは、前記図１に示すバリケードとは下単管１５をなくした点が異なり、筋交い棒２０で、支持体２が基台１０での回動を防止して、支持体２の立設を維持する構成である。そこで、図１と同じ機能の部品には同じ符号を付して説明を略す。
前記上単管５の正面側には、係止孔２３が形成してある。また、筋交い棒２０の端部２２は、前記上単管５の表面側に形成の係止孔２３に、他端部２１は前記補助体３の中央部の表面に形成の係止孔４に、それぞれ挿入可能な形状になっている。
【００１６】
そこで、図２（Ｃ）に示す収納状態では、独立した２本の筋交い棒２０と、図１（Ｃ）と同様に、支持体２を上単管５の下側又は上側になる姿態で折り畳むことによって、ほぼ、平坦状の姿態となって搬送できる。
また、組み立ては、支持体２を基台１０で回動して立設し（図２（Ｂ））、筋交い棒２０の端部２２は前記補助体３の中央部の表面形成の係止孔４に挿入し、他端部２１は前記上単管５の表面側に形成の係止孔２３に挿入することによって、支持体２は基台１０での回動が防止されて、立設を維持してバリケードとして機能する。
【符号の説明】
【００１７】
２  支持体２
３  補助体
４  係止孔
５  上単管
１０  基台
１１  ボルト（回動軸）
１５  下単管
１７  係止体
１８  凸体
２０  筋交い棒
２３  係止孔
【図１】
0003177776.tif 000003
【図２】
0003177776.tif 000004